(57)【要約】      （修正有）【課題】厚みのあるフィルタ本体の性能を長期にわたって確保可能な浴槽用給湯アダプタを提供する。【解決手段】浴槽壁部に貫通状態で組み付けられる槽内突出部を介して浴槽内に設置され、湯水を吸引して浴槽外に供給するようにしたノズル部材と、浴槽水に含まれる不純物をろ過するフィルタ本体と、浴槽水の流入孔と流出孔とが穿設され、流出孔側が前記ノズル部材に接続されるフィルタケースとを有し、フィルタ本体は、ろ過前の浴槽水が流入する流入面と、流入面の法線と略平行又は所定角度をなす法線を有し、流入面から所定距離の経路を確保して浴槽水が流出する流出面と、流入面、流出面及び中間面によってフィルタ本体の形状が画定される中間面とを有し、フィルタケースは、流入面に対応する第一流入孔、流出面に対応する流出孔、及び、中間面に対応する第二流入孔を備え、第二流入孔の吸引抵抗は、第一流入孔の吸引抵抗よりも大きく設定されている。【選択図】図４
2020173042.tif 000002
【特許請求の範囲】
【請求項１】
浴槽壁部に貫通状態で組み付けられる槽内突出部を介して浴槽内に設置され、浴槽内の湯水を吸引して浴槽外に供給するようにしたノズル部材と、
前記ノズル部材に吸引される浴槽水に含まれる不純物をろ過するフィルタ本体と、
内部に前記フィルタ本体を収容し、浴槽水の流入孔と流出孔とが穿設され、前記流出孔側が前記ノズル部材に接続されるフィルタケースとを有し、
前記フィルタ本体は、
ろ過前の浴槽水が流入する流入面と、
前記流入面の法線と略平行又は所定角度をなす法線を有し、前記流入面から所定距離の経路を確保して浴槽水が流出する流出面と、
前記流入面の法線と略平行又は所定角度をなす法線を有し、前記流出面から所定距離の経路を確保する中間面であって、前記流入面、前記流出面及び当該中間面によって当該フィルタ本体の形状が画定される中間面とを有し、
前記フィルタケースは、前記流入面に対応する第一流入孔、前記流出面に対応する流出孔、及び、前記中間面に対応する第二流入孔を備え、
前記第二流入孔の吸引抵抗は、前記第一流入孔の吸引抵抗よりも大きく設定されていることを特徴とする浴槽用給湯アダプタ。
【請求項２】
前記フィルタ本体は、前記流入面の法線と略平行の法線を有する流出面と、前記流入面と前記流出面との間に設けられ所定の高さを有する中間面とを有し、
前記フィルタケースは、前記第一流入孔を備え前記フィルタ本体の前記流入面が接地する第一フィルタ接地部と、前記フィルタ本体の高さと略同等の高さを有し前記フィルタ本体の前記中間面が接地するフィルタ保持枠と、前記流出孔を備え前記フィルタ本体の前記流出面が面する第二フィルタ接地部とを有し、
前記第二流入孔は、前記フィルタ保持枠のうち、前記第一フィルタ接地部よりも前記第二フィルタ接地部に近い位置に形成された複数の孔からなる、請求項１に記載の浴槽用給湯アダプタ。
【請求項３】
前記第二流入孔は前記フィルタ保持枠のうち前記第二フィルタ接地部に接する位置に形成される、請求項２に記載の浴槽用給湯アダプタ。
【請求項４】
前記第二フィルタ接地部から前記フィルタ本体の前記流出面に向けて突出し、前記第二流入孔に対向する向きに延出する複数の接地面リブをさらに備える、請求項３に記載の浴槽用給湯アダプタ。
【請求項５】
前記複数の接地面リブは、前記第二流入孔が形成される部位に対応する位置に設けられ、
それぞれの前記接地面リブの第二流入孔開口側端部における前記第二流入孔に対向する向きの断面積は、それぞれの前記第二流入孔の開口面積よりも小さく設定される、請求項４に記載の浴槽用給湯アダプタ。
【請求項６】
前記フィルタケースは、
前記第一フィルタ接地部及び前記フィルタ保持枠を備える平面視略矩形状の第一フィルタケースと、
前記第一フィルタケースと係合可能に構成され、前記第二フィルタ接地部を有する平面視略矩形状の第二フィルタケースとからなり、
前記フィルタ保持枠は、前記第二流入孔が形成される流入孔壁と、前記流入孔壁に対向する対向壁と、前記流入孔壁と前記対向壁との間に形成される二つの側壁とによって形成され、
前記側壁の内面に、前記フィルタ本体の前記中間面に向けて突出し前記第二流入孔に対向する向きに延出するスライド突起が設けられ、
前記第二フィルタ接地部の両端部から、外面に前記スライド突起に係合可能な係合溝が形成されるスライド片が突出して設けられ、
前記流入孔壁には、前記スライド片を挿通可能な挿通孔が設けられ、
前記挿通孔から前記スライド片を挿通させ、前記スライド突起と前記係合溝が係合することで前記第一フィルタケースと前記第二フィルタケースとが係合されるよう構成され、
前記接地面リブは、前記第二流入孔が設けられる部位に相当する前端縁から徐々に高さが漸減する略三角形状に設けられ、
前記接地面リブと前記第二流入孔との間に、前記第二流入孔に対向する向きから見て所定の隙間が形成されるよう、前記接地面リブと前記第二流入孔の形状が設定される、請求項５に記載の浴槽用給湯アダプタ。
【請求項７】
前記流出孔は前記第一流入孔よりも断面積が小さい多数の細孔群によって構成される、請求項１〜６のいずれかに記載の浴槽用給湯アダプタ。
【発明の詳細な説明】
【技術分野】
【０００１】
本発明は、浴槽用給湯アダプタに関し、特に、浴槽水を浴槽から吸引し、洗濯機等で再利用するに好適な浴槽用給湯アダプタに関する。
【背景技術】
【０００２】
近年、資源の節約志向に伴い、入浴後の浴槽水を捨てずに再利用することが行われている。
【０００３】
浴槽水を再利用するにあたっては、浴槽壁に取り付けられた浴槽用給湯アダプタを利用し、浴槽内に設けられたノズル部材から浴槽水を吸引し、浴槽外の適所に供給することが行われている。浴槽用給湯アダプタは、湯張りや追い焚きのために浴槽壁に取り付けられているが、このような浴槽用給湯アダプタの戻り配管に分岐管を接続することで、別途のホースや配管を設置することなく、既設の設備を利用して、浴槽水を洗濯機まで送給することができる。
【０００４】
ところで、浴槽水には髪の毛や湯垢などの不純物が含まれており、それらの不純物がノズル部材を通過して吸引ポンプに至ると、ポンプの汚染や破損につながるため好ましくない。そのため、浴槽水に含まれる不純物を除去するために、浴槽水を吸引するノズル部材の入り口にフィルタが接地される。
【０００５】
浴槽水から不純物を除去し濾過するためのフィルタとしては、例えば、特許文献１に示されるような技術が提案されている。（特許文献１）。
【先行技術文献】
【特許文献】
【０００６】
【特許文献１】特開２００４−３３７２５３号公報
【発明の概要】
【発明が解決しようとする課題】
【０００７】
フィルタには種々の形状や素材が存在するが、スポンジや不織布等によって形成され、ろ過前の浴槽水が流入する流入面と、流入面の法線と略平行又は所定角度をなす法線を有し、流入面から所定距離の経路を確保して浴槽水が流出する流出面と、流入面の法線と略平行又は所定角度をなす法線を有し流出面から所定距離の経路を確保する中間面であって、流入面、流出面及び中間面によってフィルタの形状が画定される中間面とを有するような、流れ方向に厚みを有するフィルタによって汚れ等を除去する場合、流入面から流出面に向かう一方向の流れであるため、流入面近傍に汚れがたまりやすく、流入面における汚れの堆積に伴い徐々に吸引抵抗が増大する。そして、ある時点でフィルタが圧縮され、最終的には流れ方向に潰れてしまう。
【０００８】
このような問題は、流れ方向が一定のフィルタだけでなく、例えば、円周方向から流入し、軸方向から流出するような円筒形状のフィルタや、軸方向から流入し、円周方向から流出するような円筒形状のフィルタ等のように、フィルタ内において流れ方向が変化するフィルタにおいても生じる。
【０００９】
フィルタが潰れると、さらに吸引抵抗が増加し、必要な流量が確保できないなどのトラブルを誘因することになる。また、フィルタが潰れると、フィルタ自体が機能を失い、フィルタの性能を長期にわたって確保できない。
【００１０】
つまり、従来の流れ方向に厚みを有するフィルタによって汚れ等を除去する場合、流入面近傍の領域しかフィルタとしての機能を果たさず、下流側の領域は機能しないという課題があった。
【００１１】
本発明はこのような課題に鑑みて、流れ方向に厚みのあるフィルタを使用する場合であっても、流入面近傍だけでなく、下流側の領域も有効に機能させることが可能であり、性能を長期にわたって確保可能なフィルタを備えた浴槽用給湯アダプタを提供することを目的とする。
【課題を解決するための手段】
【００１２】
本発明では、以下のような解決手段を提供する。
【００１３】
第１の特徴に係る発明は、浴槽壁部に貫通状態で組み付けられる槽内突出部を介して浴槽内に設置され、浴槽内の湯水を吸引して浴槽外に供給するようにしたノズル部材と、ノズル部材に吸引される浴槽水に含まれる不純物をろ過するフィルタ本体と、内部にフィルタ本体を収容し、浴槽水の流入孔と流出孔とが穿設され、流出孔側が前記ノズル部材に接続されるフィルタケースとを有し、フィルタ本体は、ろ過前の浴槽水が流入する流入面と、流入面の法線と略平行又は所定角度をなす法線を有し、流入面から所定距離の経路を確保して浴槽水が流出する流出面と、流入面の法線と略平行又は所定角度をなす法線を有し、流出面から所定距離の経路を確保する中間面であって、流入面、流出面及び中間面によってフィルタ本体の形状が画定される中間面とを有し、フィルタケースは、流入面に対応する第一流入孔、流出面に対応する流出孔、及び、中間面に対応する第二流入孔を備え、第二流入孔の吸引抵抗は、第一流入孔の吸引抵抗よりも大きく設定されている、浴槽用給湯アダプタを提供する。
【００１４】
第１の特徴に係る発明によれば、フィルタ本体の中間面に対応する第二流入孔の吸引抵抗が、流入面に対応する第一流入孔の吸引抵抗よりも大きく設定されているため、流入面に汚れが堆積して吸引できなくなった場合に、第二流入孔が圧力逃がし孔として機能することで浴槽水を吸引することができ、厚みのあるフィルタ本体を圧縮させることなく有効に機能させることが可能となる。
【００１５】
第２の特徴に係る発明は、第１の特徴に係る発明であって、フィルタ本体は、流入面の法線と略平行の法線を有する流出面と、流入面と流出面との間に設けられ所定の高さを有する中間面とを有し、フィルタケースは、第一流入孔を備えフィルタ本体の流入面が接地する第一フィルタ接地部と、フィルタ本体の高さと略同等の高さを有しフィルタ本体の中間面が接地するフィルタ保持枠と、流出孔を備えフィルタ本体の流出面が面する第二フィルタ接地部とを有し、第二流入孔は、フィルタ保持枠のうち、第一フィルタ接地部よりも第二フィルタ接地部に近い位置に形成された複数の孔からなる、浴槽用給湯アダプタを提供する。
【００１６】
第２の特徴に係る発明によれば、第二流入孔は、フィルタ保持枠のうち、第一フィルタ接地部よりも第二フィルタ接地部に近い位置に形成された複数の孔からなるため、フィルタ本体が圧縮されるに至る前に、第二流入孔を機能させることができ、その結果、フィルタ本体の下流側領域を有効に利用し、厚みのあるフィルタ本体の機能を効果的に発揮することができる。
【００１７】
第３の特徴に係る発明は、第２の特徴に係る発明であって、第二流入孔はフィルタ保持枠のうち第二フィルタ接地部に接する位置に形成される、浴槽用給湯アダプタを提供する。
【００１８】
第３の特徴に係る発明によれば、第二流入孔はフィルタ保持枠のうち第二フィルタ接地部に接する位置に形成されるため、フィルタ本体の最下流領域まで有効に利用し、厚みのあるフィルタ本体の機能を最大限に発揮することが可能な浴槽用循環アダプタを提供することができる。
【００１９】
第４の特徴に係る発明は、第３の特徴に係る発明であって、第二フィルタ接地部からフィルタ本体の流出面に向けて突出し、第二流入孔に対向する向きに延出する複数の接地面リブをさらに備える、浴槽用給湯アダプタを提供する。
【００２０】
第４の特徴に係る発明によれば、第二流入孔に対向する向きに延出する複数のリブを第二フィルタ接地部に備えるため、隣接するリブとリブの間に、フィルタ本体の流出面を一辺とする流路を形成することができ、第二流入孔から流入した浴槽水が当該流路を流通する間に、フィルタ本体の流出面で不純物を除去することができる。
【００２１】
また、第二流入孔から流入した浴槽水に対して整流効果を与えるため、第二流入孔から流入してすぐに流出面に至るようなショートパスを防止できるとともに、仮に流出面の手前側が閉塞に至った場合であっても、接地面リブによって形成される流路に沿って奥側まで湯水が流通するため、フィルタ本体の奥側領域を有効に利用することが可能となる。
【００２２】
第５の特徴に係る発明は、第４の特徴に係る発明であって、複数の接地面リブは、第二流入孔が形成される部位に対応する位置に設けられ、それぞれの接地面リブにおける第二流入孔開口側端部における第二流入孔に対向する向きの断面積は、それぞれの第二流入孔の開口面積よりも小さく設定される、浴槽用給湯アダプタを提供する。
【００２３】
第５の特徴に係る発明によれば、第二流入孔が形成される部位に対応する位置に接地面リブを備え、それぞれの接地面リブにおける第二流入孔に対向する向きの断面積が、それぞれの第二流入孔の開口面積よりも小さく設定されているため、第二流入孔と接地面リブとの間に形成される隙間部分の距離を長く確保することができ、第二流入孔の詰まりを防止することができるとともに、接地面リブの第二流入孔側の端部が、第二流入孔に流入する湯水の抵抗としても機能するため、確実に、第二流入孔の吸引抵抗を第一流入孔の吸引抵抗よりも大きく設定できるようになる。
【００２４】
第６の特徴に係る発明は、第５の特徴に係る発明であって、フィルタケースは、第一フィルタ接地部及びフィルタ保持枠を備える平面視略矩形状の第一フィルタケースと、第一フィルタケースと係合可能に構成され、第二フィルタ接地部を有する平面視略矩形状の第二フィルタケースとからなり、フィルタ保持枠は、第二流入孔が形成される流入孔壁と、流入孔壁に対向する対向壁と、流入孔壁と対向壁との間に形成される二つの側壁とによって形成され、側壁の内面に、フィルタ本体の中間面に向けて突出し第二流入孔に対向する向きに延出するスライド突起が設けられ、第二フィルタ接地部の両端部から、外面にスライド突起に係合可能な係合溝が形成されるスライド片が突出して設けられ、流入孔壁には、スライド片を挿通可能な挿通孔が設けられ、挿通孔からスライド片を挿通させ、スライド突起と係合溝が係合することで第一フィルタケースと第二フィルタケースとが係合されるよう構成され、接地面リブは、第二流入孔が設けられる部位に相当する前端縁から徐々に高さが漸減する略三角形状に設けられ、接地面リブと第二流入孔との間に、第二流入孔に対向する向きから見て所定の隙間が形成されるよう、接地面リブと第二流入孔の形状が設定される、浴槽用給湯アダプタを提供する。
【００２５】
第６の特徴に係る発明によれば、接地面リブは、第二流入孔が設けられる部位に相当する前端縁から徐々に高さが漸減する略三角形状を呈するため、第一フィルタケースを第二フィルタケースに対してスライドさせ接続する際、接地面リブがフィルタ本体に引っかかることなく、スムーズに接続することが可能となる。また、接地面リブと第二流入孔との間に背面から見て所定の隙間が形成されるよう、接地面リブと第二流入孔の形状が設定されているため、接地面リブを第二流入孔にスムーズに挿入することができる。
【００２６】
第７の特徴に係る発明は、第１から第６のいずれかの特徴に係る発明であって、流出孔は第一流入孔よりも断面積が小さい多数の細孔群によって構成される、浴槽用給湯アダプタを提供する。
【００２７】
第７の特徴に係る発明によれば、流出孔が第一流入孔よりも断面積が小さい多数の細孔群によって構成されているため、流出孔に第二のフィルタとしての機能を持たせることができ、フィルタ本体で捕捉できなかった不純物を、下流のノズル部材に到達させないよう捕捉することができる。
【発明の効果】
【００２８】
本発明によれば、流れ方向に厚みのあるフィルタを使用する場合であっても、流入面近傍だけでなく、下流側の領域も有効に機能させることが可能であり、性能を長期にわたって確保可能なフィルタを備えた浴槽用給湯アダプタを提供できる。
【図面の簡単な説明】
【００２９】
【図１】図１は、本実施形態に係る浴槽用給湯アダプタ１の斜視図である。
【図２】図２は、本実施形態に係る浴槽用給湯アダプタ１の側面図である。
【図３】図３は、本実施形態に係る浴槽用給湯アダプタ１の側面断面図である。
【図４】図４は、本実施形態に係る浴槽用給湯アダプタ１を斜め後方から見た図である。
【図５Ａ】図５Ａは、本実施形態に係る流路仕切部材４０の斜視図である。
【図５Ｂ】図５Ｂは、本実施形態に係る流路仕切部材４０の正面図である。
【図５Ｃ】図５Ｃは、図５ＢのＡ−Ａ断面図である。
【図６Ａ】図６Ａは、本実施形態に係る第一ノズル部材６０の分解斜視図である。
【図６Ｂ】図６Ｂは、本実施形態に係る第一ノズル部材６０を分解して斜め後方から見た図。
【図６Ｃ】図６Ｃは、本実施形態に係る第一ノズル部材６０を構成する第一ノズル本体６０ｂの正面図である。
【図６Ｄ】図６Ｄは、本実施形態に係る第一ノズル部材６０を構成する第一ノズル本体６０ｂの底面図である。
【図７Ａ】図７Ａは、本実施形態に係る第二ノズル部材７０の分解斜視図である。
【図７Ｂ】図７Ｂは、本実施形態に係る第二ノズル部材７０を分解して斜め後方から見た図である。
【図７Ｃ】図７Ｃは、本実施形態に係る第二ノズル部材７０を構成する第二ノズル本体７０ｂの正面図。
【図７Ｄ】図７Ｄは、本実施形態に係る第二ノズル部材７０を構成する第二ノズル本体７０ｂの底面図である。
【図８Ａ】図８Ａは、本実施形態に係るフィルタ部材８０の分解斜視図である。
【図８Ｂ】図８Ｂは、本実施形態に係るフィルタ部材８０の斜視図である。
【図８Ｃ】図８Ｃは、本実施形態に係るフィルタ部材８０の背面図である。
【図８Ｄ】図８Ｄは、本実施形態に係るフィルタ部材８０の平面図である。
【図８Ｅ】図８Ｅは、本実施形態に係るフィルタ部材８０において、第一フィルタケース１１０に第二フィルタケース１２０を組み込んでいる状況を示す斜め下方から見た図である。
【図８Ｆ】図８Ｆは、本実施形態に係るフィルタ部材８０を構成する第二フィルタケース１２０を斜め下方から見た図である。
【発明を実施するための形態】
【００３０】
以下、本発明を実施するための形態について図を参照しながら説明する。なお、これはあくまでも一例であって、本発明の技術的範囲はこれに限られるものではない。
【００３１】
［浴槽用給湯アダプタ１の全体構成］
まず、図１〜図４を用いて、本実施形態に係る浴槽用給湯アダプタ１の全体構成を説明する。図１は、本実施形態に係る浴槽用給湯アダプタ１の斜視図を、図２は浴槽用給湯アダプタ１の側面図を、図３は浴槽用給湯アダプタ１の側面断面図を、図４は浴槽用給湯アダプタ１を斜め後方から見た図を示す。
【００３２】
これらの図に示すように、本実施形態の浴槽用給湯アダプタは、浴槽の側壁（壁部）Ｗに貫通状態に取り付けられるアダプタ本体Ｐと、アダプタ本体Ｐに取り付けられるノズル部材５０とによって構成される。なお、本明細書の説明においては、浴槽用給湯アダプタの軸心方向に沿って浴槽に対して内側（図２および図３の左側）を「前側」または「正面側」とし、浴槽に対して外側（図２および図３の右側）を「後側」「裏面側」または「背面側」として説明する。
【００３３】
アダプタ本体Ｐは、槽外取付部材１０と、管路部材２０と、雄ねじ部材３０と、流路仕切部材４０とを備えている。
【００３４】
〔槽外取付部材１０〕
槽外取付部材１０は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状の外フランジ部１３とを備えている。外筒部１２の後端部における上下両側には槽内流入口１０ａおよび槽外流出口１０ｂが設けられており、流槽内入口１０ａが内筒部１１の内部に連通接続されるとともに、槽外流出口１０ｂが内筒部１１および外筒部１２間の環状部に連通接続されている。内筒部１１の内部は、後述する内側流路１０Ａの一部を構成するものであり、内筒部１１および外筒部１２間の環状空間は、後述する外側流路１０Ｂの一部を構成するものである。
【００３５】
なお外筒部１２の内周面には雄ねじ部材３０をねじ込んで固定するための雌ねじが刻設されている。
【００３６】
〔管路部材２０〕
管路部材２０には、その後部に往き管接続口２０ａおよび戻り管接続口２０ｂが設けられている。さらに管路部材２０には、一端側が槽外取付部材１０の槽内流入口１０ａに連通接続され、かつ他端側が往き管接続口２０ａに連通接続された往き管路２１ａが設けられるとともに、一端側が槽外取付部材１０の槽外流出口１０ｂに連通接続され、かつ他端側が戻り管接続口２０ｂに連通接続された戻り管路２１ｂが設けられている。
【００３７】
さらに管路部材２０における戻り管路２１ｂには分岐管路２１ｃが設けられるとともに、その分岐管路２１ｃには残り湯取出口２０ｃが設けられている。
【００３８】
また管路部材２０における往き管路２１ａと戻り管路２１ｂとの間には逆止弁２２ａが設けられている。この逆止弁２２ａは、戻り管路２１ｂ側から往き管路２１ａ側に流動する湯水の流れは許容し、かつその逆方向の流れを制止するように構成されている。
【００３９】
さらに管路部材２０における戻り管路２１ｂには、分岐管路２１ｃよりも戻り管接続口２０ｂ側寄りの位置に逆止弁２２ｂが設けられている。この逆止弁２２ｂは、戻り管路２１ｂ内を槽外取付部材１０の槽外流出口１０ｂ側から戻り管接続口２１ｂ側に流動する湯水の流れは許容し、かつその逆方向の流れを制止するように構成されている。
【００４０】
また分岐管路２１ｃには逆止弁２２ｃが設けられている。この逆止弁２２ｃは、戻り管路２１ｂ側から残り湯取出口２０ｃ側に流動する湯水の流れは許容し、かつその逆方向の流れを制止するように構成されている。
【００４１】
〔雄ねじ部材３０〕
雄ねじ部材３０は、前後両端が開放された円筒体の前端外周に平板リング状の中フランジ部３１が一体に形成された鍔付き円筒形状に形成されている。中フランジ部３１の外周側面には、後述する流路仕切部材４０を接続するための側面視Ｌ字状の接続溝３２が形成される。
【００４２】
また、雄ねじ部材３０の外周側面には、上記槽外取付部材１０における外筒部１２の雌ねじに対応して雄ねじが刻設されている。
【００４３】
そして、槽外取付部材１０と雄ねじ部材３０とが分離された状態で、浴槽に穿設された取付孔に対し、管路部材２０付きの槽外取付部材１０の外フランジ部１３が浴槽の外壁側から取付孔の周縁部に沿うように配置され、雄ねじ部材３の中フランジ部３１が、浴槽の内壁側から取付孔の周縁部に圧接されるように配置され、雄ねじ部材３０の外周側面に刻設された雄ねじを外筒部１２の雌ねじにねじ込むことにより、槽外取付部材１０と雄ねじ部３０が固定される。これにより両部材１０、３０の外フランジ部１３及び中フランジ部３１によって浴槽側壁Ｗにおける取付孔周縁部が挟持されて、管路部材２０付きの槽外取付部材１０と雄ねじ部材３０とが浴槽側壁Ｗに組み付けられる。
【００４４】
〔流路仕切部材４０〕
次に、図３及び図５を用いて、流路仕切部材４０について説明する。図５Ａは斜視図、図５Ｂは正面図、図５Ｃは図５ＢのＡ−Ａ断面図である。
【００４５】
流路仕切部材４０は、軸心方向（前後方向）に延びる前後両端が開放された細長い円筒形状の細円筒部４１と、前端が開放し底部が細円筒部４１に接続され、軸心方向（前後方向）に延びる有底円筒形状の太円筒部４２と、太円筒部４２の前端部外周に設けられた略円盤状の槽内突出部４３とを有している。太円筒部４２の径は細円筒部４１の径よりも大きく設定されている。
【００４６】
細円筒部４１は、後述するように槽外取付部材１０の内筒部１１に接続されるものであり、細円筒部４１の内部と、細円筒部４１に連通する槽外取付部材１０における内筒部１１の内部とによって、内側流路１０Ａが形成される。さらに細円筒部４１は、後述するように雄ねじ部材３０の内部に配置されるものであり、細円筒部４１および雄ねじ部材３０間の環状空間と、それに連通する槽外取付部材１０における内筒部１１および外筒部１２間の環状空間とによって、外側流路１０Ｂが形成される。
【００４７】
太円筒部４２は、後述するようにノズル部材５０の第一ノズル本体６０の後壁に形成される外側突出部６１に接続可能に構成されるとともに、円筒形状の部位における外径が雄ねじ部材３０の内径と略同一に設定され、雄ねじ部材３０の内部に挿入可能に構成される。太円筒部４２の底面における中央部には、細円筒部４１の内部と連通する円形の吐出口４４が形成される。
【００４８】
また、吐出口４４の周囲には、円周方向に複数の細長孔が穿設されており、この複数の細長孔によって吸引口４５が構成される。
【００４９】
そして、吐出口４４と吸引口４５の間には、太円筒部４２の底面から前方に向けて、内側が細円筒部４１の内部と連通する円筒形状の前方突出部４６が形成される。前方突出部４６の内径は、後述するノズル部材５０の第一ノズル本体６０ｂの後壁に形成される内側突出部６２の外径と略同一に設定されており、内側突出部６２が前方突出部４６内に挿入されることにより、内側突出部６２の内部と細円筒部４１の内部とが連通するように構成されている。なお、前方突出部４６の前端は、後述する槽内突出部４３が形成される位置よりも後方に位置するように設定される。
【００５０】
槽内突出部４３は太円筒部４２の前端部外周に設けられる略円盤状の部材であり、槽内突出部４３の外側端部には、円盤状の面からそれぞれ前方及び後方に突出する前方フランジ部４７ｆ及び後方フランジ部４７ｂからなる円筒状の組付フランジ部４７が形成される。
【００５１】
組付フランジ部４７の後方フランジ部４７ｂの内径は、雄ねじ部材３０の中フランジ部３１の外径と略同一に設定されており、後方フランジ部４７ｂにおける内周側面には、雄ねじ部材３０の接続溝３２に係合する係合突起４８が設けられている。係合突起４８は後方フランジ部４７ｂの内周側面において適宜の間隔をおいて複数形成される。
【００５２】
また、槽内突出部４３の組付フランジ部４７における前方フランジ部４７ｆの外周側面には、後に詳述するノズル部材５０を固定するための固定溝４９が形成されている。固定溝４９は側面視Ｌ字状に形成されており、前方フランジ部４７ｆの外周側面において周方向に適宜の間隔をおいて複数形成される。この固定溝４９は、軸心方向に沿って前後方向に延び、かつ前端が前方に向けて開口する軸方向溝と、軸方向溝の後端に一端が連通し、かつ周方向に沿って延びる周方向溝とを備えている。
【００５３】
なお本実施形態において、浴槽用給湯アダプタ１およびアダプタ本体Ｐの軸心方向は前後方向に相当し、後述するノズル部材５０の軸心方向は上下方向（垂直方向）に相当する。
【００５４】
流路仕切部材４０をこのように構成することにより、図５Ｃに示すように、流路仕切部材４０における細円筒部４１が雄ねじ部材３０に前方から挿入されて槽外取付部材１０の内筒部１１に連通接続され、その状態で、流路仕切部材４０における後方フランジ部４７ｂの内周側面に形成された係合突起４８と、雄ねじ部材３０の中フランジ部３１の外周側面に形成された接続溝３２とによって、雄ねじ部材３０と流路仕切部材４０が着脱自在に取り付けられる。
【００５５】
こうして流路仕切部材４０を雄ねじ部材３０および槽外取付部材１０に組み付けた状態では、太円筒部４２における吸引口４５が外側流路１０Ｂ内に連通されるとともに、吐出口４４が内側流路１０Ａに連通される。
【００５６】
この構成のアダプタ本体Ｐにおいて、管路部材２０の往き管接続口２０ａは、図示しない室外給湯機の給湯口に往き管２５ａを介して連結され、戻り管接続口２０ｂは、室外給湯機の吸引口に戻り管２５ｂを介して連結されている。さらに残り湯取出口２０ｃには、洗濯機の吸引ポンプに残り湯取出管２５ｃを介して連結されている。
【００５７】
そして追い焚き時の戻り側回路においては、給湯機による吸引作用によって戻り管２５ｂ、戻り管路２１ｂ、外側流路１０Ｂおよび吸引口４５が負圧に設定される。その吸引力によって湯水が吸引口４５から外側流路１０Ｂに導入されて、槽外取付部材１０の槽外流出口１０ｂから管路部材２０の戻り管路２１ｂ内に導入されて、逆止弁２２ｂ、戻り管接続口２０ｂおよび戻り管２５ｂを介して給湯機に戻される。一方、往き側の回路においては、給湯機から供給される湯水が往き管２５ａを通って管路部材２０の往き管接続口２０ａから往き管路２１ａ内に導入され、さらにその湯水は槽外取付部材１０の槽内流入口１０ａから内側流路１０Ａに導入されて、太円筒部４２の吐出口４４から吐出される。
【００５８】
また浴槽内の残り湯を取り出す際には、洗濯機の吸引ポンプによって残り湯取出管２５ｃ内が負圧となりその吸引力によって、湯水が太円筒部４２の吸引口４５から外側流路１０Ｂに導入されて、槽外取付部材１０の槽外流出口１０ｂから管路部材２０の戻り流路２１ｂ内に導入された後、逆止弁２２ｃを通って分岐管２０ｃに導入される。さらにその湯水は残り湯取出管２５ｃを通って洗濯機に供給されて洗濯水として利用される。
【００５９】
なお本実施形態において、湯はり時にはダブル搬送によって湯水が供給される。すなわち給湯機から湯水が往き管２５ａおよび戻り管２５ｂの双方に供給され、往き管２５ａ側の湯水は管路部材２０の往き管接続口２０ａを介して往き管路２１ａ内に導入される。その一方、戻り管２５ｂ側の湯水は管路部材２０の戻り管接続口２０ｂから導入され、逆止弁２２ａを通って往き管路２１ａに導入されて、上記往き管２５ａからの湯水と合流する。こうして合流した湯水は往き管路２１ａを通って、槽外取付部材１０の槽内流入口１０ａから内側流路１０Ａに導入されて、太円筒部４２の吐出口４４から吐出される。
【００６０】
〔ノズル部材５０〕
次に、本実施形態におけるノズル部材５０について図６〜図７を用いて説明する。ノズル部材５０は、アダプタ本体Ｐの槽内突出部４３に接続される略ボックス型の部材であって、浴槽水を槽外に導出する機能及び給湯機からの温水を浴槽内に導入する機能を有する部材である。ノズル部材５０は、第一ノズル部材６０と、延長ノズルとしての機能を有する第二ノズル部材７０とからなる。ノズル部材５０の下方には、フィルタ部材８０が接続されている。
【００６１】
〔第一ノズル部材６０〕
図６を用いて、第一ノズル部材６０について説明する。図６Ａは第一ノズル部材６０の分解斜視図を、図６Ｂは第一ノズル部材６０を分解して斜め後方から見た図を、図６Ｃは第一ノズル部材６０を構成する第一ノズル本体６０ｂの正面図を、図６Ｄは同底面図を示す。
【００６２】
第一ノズル部材６０は、前方に向けて緩やかな湾曲状に形成された第一カバー部材６０ｃと、前方が第一カバー部材６０ｃに覆われ下端が開放される下向きの第一ノズル本体６０ｂとによって、水平断面が扁平矩形状の略ボックス型の形状を呈するよう構成される。
【００６３】
流路仕切部材４０が組付けられた際に組付フランジ部４７の前方フランジ部４７ｆと対面する第一ノズル本体６０ｂの後壁には、内部に流路が形成される略円筒形状で、流路仕切部材４０の前方突出部４６に挿入される内側突出部６２と、内側突出部６２の外側に同心円状に設けられ、内側突出部６２との間に環状の流路を形成するものであり、流路仕切部材４０の太円筒部４２に挿入される略円筒形状の外側突出部６１が形成される。また、第一ノズル本体６０ｂの下端には、下方に突出する水平断面略矩形枠状の部材である第一下端開口枠部６３が形成されている。
【００６４】
さらに、外側突出部６１の外側には、流路仕切部材４０の組付フランジ部４７が挿入可能となるよう後方に突出する略円筒形状の周側壁部６４が形成される。
【００６５】
周側壁部６４の内周面には、組付フランジ部４７の外周側面に形成された固定溝４９に係合される複数の固定突起６５が周方向に適宜の間隔をおいて形成される。前述の通り、固定溝４９は、軸心方向に沿って前後方向に延び、かつ前端が前方に向けて開口する軸方向溝と、軸方向溝の後端に一端が連通し、かつ周方向に沿って延びる周方向溝とによって側面視略Ｌ字状に形成されているため、軸方向溝の開口に固定突起６５の位置をあわせ、流路仕切部材４０に対して第一ノズル部材６０を押し込むことで、固定突起６５を軸方向溝の後端まで挿入することができる。その状態で第一ノズル部材６０を軸心周りに捻回操作することにより、固定突起６５を周方向溝に沿って移動させ、第一ノズル部材６０を流路仕切部材４０に対して固定する。
【００６６】
このように、第一ノズル部材６０に形成された固定突起６５が固定溝４９を構成する周方向溝に係合することで、前後方向の移動が規制され、第一ノズル部材６０を流路仕切部材４０に対して固定することができる。
【００６７】
また、周側壁部６４には、内側流路１０Ａから第一ノズル部材６０に流入する戻り湯を浴槽内に吐出するための吐出用開口６６が形成される。吐出用開口６６が形成される位置は、鉛直下方から所定の角度を有する位置に設定され、斜め下方に湯水が吐出されるように構成される。
【００６８】
内側突出部６２の内部に形成される流路と吐出用開口６６とは、内側突出部６２における第一ノズル本体６０の後壁側基端部から後壁に沿って、内側突出部６２と外側突出部６１との間に形成される環状の流路を貫通し、さらに、外側突出部６１と周側壁部６４との間に形成される環状空間を貫通するように斜め下方に延伸する吐出流路６７によって連通する。
【００６９】
なお、吐出流路６７は後壁に沿って、後壁から突出するように形成されるため、流路仕切部材４０の組付フランジ部４７の前方フランジ部４７ｆには、吐出流路６７との干渉を防ぐために、その一部を切り欠いた逃げ部４７ｅが形成されている。
【００７０】
さらに、内側突出部６２と外側突出部６１との間に形成される環状の流路と第一ノズル部材６０の下端に形成される第一下端開口枠部６３とは、第一ノズル部材６０の第一カバー部材６０ｃと後壁との間において上下方向に形成される第一吸い込み流路６８によって連通する。
【００７１】
第一吸い込み流路６８は、第一ノズル本体６０ｂ内部において水平断面略楕円形状を呈する第一流路形成部材６８ｃによって画定されており、第一ノズル本体６０ｂにおける後壁と両側壁とによって画定される領域は、第一流路形成部材６８ｃによって、内部の流路領域と外部の補強領域とに区画されている。
【００７２】
そして、第一流路形成部材６８ｃと第一ノズル本体６０ｂの両側壁との間の補強領域において、強度を確保するための複数の第一補強リブ６９が設けられている。なお、第一下端開口枠部６３は、第一吸い込み流路６８の下端開口部より下方に形成される。
【００７３】
このように、第一ノズル本体６０ｂ内を流路領域と補強領域とに区画し、補強領域において第一補強リブ６９で補強を行うため、流路内に圧力損失を誘因するリブを設置することなく、ノズル部材の補強を行うことができる。
【００７４】
また、第一吸い込み流路６８内には、後述するフィルタケース１００と第一ノズル本体６０ｂとをねじを用いて接続する際に使用するねじ穴６８ｂが設けられる。
【００７５】
以上のように構成されるため、第一ノズル部材６０が固定突起６５と固定溝４９の働きによって流路仕切部材４０に組付けられると、内側突出部６２は前方突出部４６に挿入され、外側突出部６１は太円筒部４２に挿入される。このとき、内側突出部６２の外径は前方突出部４６の内径と略同一に設定されており、外側突出部６１の外径は太円筒部４２の内径と略同一に設定されているため、それぞれが水密状態に連通する。
【００７６】
ここで、外側突出部６１及び内側突出部６２の先端近傍外周部には図示しない樹脂製のシール部材が取り付けられており、外側突出部６１と太円筒部４２、及び、内側突出部６２と前方突出部４６とは、それぞれ、嵌入する状態で接続され、他の流路に浴槽水が流出することなく高い水密状態を保持することができる。
【００７７】
そして、吐出用開口６６は、吐出流路６７、内側突出部６２の内部に形成される流路、吐出口４４、細円筒部４１の内部に形成される流路、及び、内筒部１１の内部に形成される流路を通じて、内側流路１０Ａに流通可能に連通する。
【００７８】
また、第一下端開口枠部６３は、第一吸い込み流路６８、内側突出部６２と外側突出部６１との間に形成される環状の流路、太円筒部４２と前方突出部４６との間に形成される環状の流路、吸引口４５、雄ねじ部材３０と細円筒部４１との間に形成される環状の流路、及び、内筒部１１と外筒部１２との間に形成される環状の流路を通じて、外側流路１０Ｂに流通可能に連通する。
【００７９】
〔第二ノズル部材７０〕
図７を用いて、第二ノズル部材７０について説明する。図７Ａは第二ノズル部材７０の分解斜視図を、図７Ｂは第二ノズル部材７０を分解して斜め後方から見た図を、図７Ｃは第二ノズル部材７０を構成する第二ノズル本体７０ｂの正面図を、図７Ｄは同底面図を示す。
【００８０】
第二ノズル部材７０は、前方に向けて緩やかな湾曲状に形成された第二カバー部材７０ｃと、前方が第二カバー部材７０ｃに覆われ上下両端が開放される第二ノズル本体７０ｂとによって、水平断面が扁平矩形状の略ボックス型の形状を呈するよう構成される。
【００８１】
第二カバー部材７０ｃと、第二ノズル本体７０ｂの後壁との間には、水平断面略楕円形状を呈する第二吸い込み流路７１が、第二流路形成部材７１ｃによって上下方向に画定されている。第二流路形成部材７１ｃの上端部は第二ノズル本体７０ｂの上端から突出しており、第一ノズル本体６０ｂの下方に開口する第一吸い込み流路６８の下端に挿入可能となっている。
【００８２】
このとき、第二流路形成部材７１ｃの上端の外径は、第一吸い込み流路６８の内径と略同一に設定されており、また、第二流路形成部材７１ｃの上端近傍外周部に樹脂製のシール部材が取り付けられているため、第二流路形成部材７１ｃの上端は、第一吸い込み流路６８の下端に嵌入する状態で接続される。
【００８３】
このようにすることで、第二流路形成部材７１ｃの上端部を第一吸い込み流路６８の下端に挿入することにより、第一ノズル部材６０と第二ノズル部材７０を接続することができる。
【００８４】
すなわち、第一ノズル部材６０と第二ノズル部材７０とを接続するにあたり、固定用の突起や孔をノズル部材表面に形成することが不要となるため、見栄えの良いノズル部材５０を形成することができる。
【００８５】
なお、第二吸い込み流路７１は、第一吸い込み流路６８と同様に、第二ノズル本体７０ｂ内部において水平断面略楕円形状を呈する第二流路形成部材７１ｃの内部に画定されており、第二流路形成部材７１ｃと第二ノズル本体７０ｂの両側壁との間には、強度を確保するための複数の第二補強リブ７２が設けられている。
【００８６】
つまり、第二吸い込み流路７１は、第二ノズル本体７０ｂ内部において水平断面略楕円形状を呈する第二流路形成部材７１ｃによって画定されており、第二ノズル本体７０ｂにおける後壁と両側壁とによって画定される領域は、第二流路形成部材７１ｃによって、内部の流路領域と外部の補強領域とに区画されている。
【００８７】
そして、第二流路形成部材７１ｃと第二ノズル本体７０ｂの両側壁との間の補強領域において、強度を確保するための複数の第二補強リブ７２が設けられている。
【００８８】
このように、第二ノズル本体７０ｂ内を流路領域と補強領域とに区画し、補強領域において二補強リブ７２で補強を行うため、流路内に圧力損失を誘因するリブを設置することなく、ノズル部材の補強を行うことができる。
【００８９】
また、第二ノズル本体７０ｂの下端部は、第一ノズル本体６０ｂの下端部と同様に構成されている。すなわち、第二ノズル本体７０ｂの下端には、下方に突出する水平断面略矩形枠状の部材である第二下端開口枠部７３が形成されている。第二下端開口枠部７３は、第二吸い込み流路７１の下端開口部より下方に形成される。
【００９０】
また、第二吸い込み流路７１内には、後述するフィルタケース１００と第二ノズル本体７０ｂとをねじを用いて接続する際に使用するねじ穴７１ｂが設けられる。
【００９１】
ノズル部材５０をこのように構成することで、第一ノズル部材６０のみを使用する形態と、第一ノズル部材６０に第二ノズル部材７０を接続して使用する形態の切り替えが容易となり、設置される浴槽の形状や構造に合わせて、使用形態を切り替えて設置することが容易となる。
【００９２】
〔フィルタ部材８０〕
次に、図８を用いて、フィルタ部材８０について説明する。図８Ａはフィルタ部材８０の分解斜視図を、図８Ｂは斜め下方から見た図を、図８Ｃは背面図を、図８Ｄは平面図を、図８Ｅは第一フィルタケース１１０に第二フィルタケース１２０を組み込んでいる状況を示す斜め下方から見た図を、図８Ｆは第二フィルタケース１２０を斜め下方から見た図を示す。
【００９３】
フィルタ部材８０は、不純物をろ過する機能を備えるフィルタ本体９０と、フィルタ本体９０を内部に収容し保持する機能を備え、浴槽水の流入孔と流出孔とが穿設され、流出孔側がノズル部材５０に接続されるフィルタケース１００とによって構成され、フィルタケース１００は第一フィルタケース１１０及び第二フィルタケース１２０からなる。
【００９４】
フィルタ本体９０は、浴槽水が流入する面であり、鉛直方向下方に面する水平断面略矩形状の流入面９１と、流入面と所定の間隔を隔てて流入面９１に略平行に設けられた水平断面略矩形状の流出面９２と、流入面９１と流出面９２との間に設けられ所定の高さを有する四つの周面９３とを有し、流入面９１、流出面９２及び四つの周面９３によって略直方体の形状が画定される、スポンジや不織布等によって構成される。四つの周面９３は、本願発明における中間面を構成する。
【００９５】
第一フィルタケース１１０は、フィルタ本体９０の流入面９１が接地する第一フィルタ接地部１１１と、フィルタ本体９０の高さと略同等の高さを有しフィルタ本体９０の周面９３に対向するフィルタ保持枠１１２とを備え、平面視略矩形状に形成される部材である。
【００９６】
第一フィルタ接地部１１１はフィルタケース１００の底面を画定する部材であり、通常運転時において流入面９１に浴槽水を流入させる複数の第一流入孔１１３が穿設される。
【００９７】
第一流入孔１１３は、角が面取りされた略長方形状の孔であり、本実施形態においては、左右に並んだ五つの孔が前後二列にわたって配設されている。
【００９８】
保持枠１１２はフィルタケース１００の前後左右の面を画定する部材であり、背面側に位置し周面９３に浴槽水を流入させる第二流入孔１１４が穿設される流入孔壁１１５と、流入孔壁１１５に対向し正面側に位置する対向壁１１６と、流入孔壁１１５と対向壁１１６との間に形成される二つの側壁１１７とによって形成される。
【００９９】
第二フィルタケース１２０は、第一フィルタケース１１０と係合可能に構成され、フィルタ本体９０の流出面９２が接地する第二フィルタ接地部１２１を有する平面視略矩形状の部材である。
【０１００】
第二フィルタ接地部１２１はフィルタケース１００の天面を画定する部材であり、フィルタ本体９０でろ過された浴槽水がノズル部材５０に流出する流出孔１２３を備える。
【０１０１】
〔第二流入孔１１４〕
第二流入孔１１４は、フィルタ保持枠１１２のうち、第一フィルタ接地部１１１よりも第二フィルタ接地部１２１に近い位置に形成される。好ましくは、第二流入孔１１４は、図８Ｅに示すように、フィルタ保持枠１１２において、第二フィルタ接地部１２１に接する位置に形成される。第二流入孔１１４が形成される位置をこのように設定することで、フィルタ本体９０の最下流領域まで有効に利用でき、所定の厚みを有するフィルタ本体９０が備えるろ過機能を最大限に発揮することができる。
【０１０２】
すなわち、開口面積に関する条件を同じに設定すると、第二流入孔１１４を第二フィルタ接地部１２１に近い位置に形成するよりも、第一フィルタ接地部１１１に近い位置に形成する方が、フィルタ本体９０を通過する経路が長くなるため、湯水が流通する際の流路抵抗が大きくなる。そのため、第二流入孔１１４が機能し始めるためには、第一流入孔１１３近傍に多くの不純物が堆積される必要があり、そのような場合、フィルタ本体９０の圧縮に至ってしまうため、厚みのあるフィルタ本体のろ過機能が十分に発揮されなくなってしまう。
【０１０３】
本実施形態においては、第二流入孔１１４は、フィルタ保持枠１１２のうち、第一フィルタ接地部１１１よりも第二フィルタ接地部１２１に近い位置、好ましくは、第二フィルタ接地部１２１に接する位置に形成されるため、フィルタ本体９０が圧縮されるに至る前に、第二流入孔１１４を機能させることができ、その結果、フィルタ本体９０の下流側領域を有効に利用し、厚みのあるフィルタ本体９０の機能を効果的に発揮することができる。
【０１０４】
なお、図８Ａや図８Ｃ及び図８Ｅに示すように、本実施形態においては、第二流入孔１１４は、流入孔壁１１５の上端を鋸歯状に切り欠いた端面と、その端面に近接する第二フィルタケース１２０の第二フィルタ接地部１２１の後端部との間に形成される複数の略矩形状の孔からなり、一の第二流入孔１１４の開口面積は、一の第一流入孔１１３の開口面積よりも小さく設定される。また、すべての第二流入孔１１４の開口面積の合計値は、すべての第一流入孔１１３の開口面積の合計値よりも小さく設定される。このようにすることで、第二流入孔１１４の吸引抵抗を、第一流入孔１１３の吸引抵抗よりも大きく設定することができ、第一流入孔１１３から浴槽水を吸引する際の吸引抵抗が所定値を超える場合にのみ、第二流入孔１１４から浴槽水を吸引する構成とすることができる。
【０１０５】
また、本実施形態における第二流入孔１１４は、浴槽内から見て背面側に位置する流入孔壁１１５に形成されているため、通常の使用時には使用者から視認されない箇所に位置する。そのため、ノズル部材５０やフィルタ部材８０の全体の美観を損ねることなく、圧力逃がしの孔を構成することができる。
【０１０６】
〔流出孔１２３〕
図８Ｅや図８Ｆに示すように、第二フィルタケース１２０の第二フィルタ接地面１２１に形成される流出孔１２３は、第二フィルタ接地部１２１の略全面に穿設された多数の略矩形状の細孔群からなり、一つ一つの開口面積を第一流入孔１１３の開口面積よりも小さくすることで、第二のフィルタとしての機能を有する。すなわち、フィルタケース１００に収容されるフィルタ本体９０で捕捉できなかった不純物を、下流のノズル部材５０に到達させないよう捕捉する機能を有する。
【０１０７】
本実施形態に係るフィルタ部材８０においては、第一流入孔１１３に詰まりが発生した際に、フィルタ保持枠１１２に形成された第二流入孔１１４から浴槽水が流入するが、その場合、浴槽水がフィルタ本体９０を通過する流路が短くなってしまい、十分に不純物を除去しきれない可能性がある。ここで、流出孔１２３を開口面積の小さな多数の細孔群によって構成することにより、フィルタ本体９０を通過した不純物を捕捉することができる。
【０１０８】
〔接地面リブ１２４〕
図８Ｅや図８Ｆに示すように、第二フィルタ接地部１２１の後端部側には、接地されるフィルタ本体９０の流出面９２に向けて突出し、第二流入孔１１４に対向する向き（この場合、前後方向）に延出する複数の接地面リブ１２４を備える。
【０１０９】
第二フィルタ接地部１２１に接地面リブ１２４を設けることにより、フィルタ本体９０の流出面９２を一辺とする流路が形成される。つまり、フィルタ本体９０の流出面９２に向かって突出する接地面リブ１２４によってフィルタ本体９０が押しのけられるため、隣接する接地面リブ１２４同士の向かい合う面、第二フィルタ接地部１２１、及び、フィルタ本体９０の流出面９２に囲まれる領域が、一つの流路として形成される。そのように形成される流路を湯水が流通する際、流出面９２を使用して不純物を除去することができるため、より、フィルタ本体９０における下流側領域を有効に活用することができる。
【０１１０】
特に、第二流入孔１１４から湯水が流入し始めると、流路抵抗の少ない手前側（前後方向でみると後側）から流出面９２に至るため、第二流入孔１１４から遠い奥側領域（前後方向で見ると前側）の領域が使用されにくい。本実施形態においては接地面リブ１２４を設けているため、整流効果によってそのようなショートパスを防止できるとともに、仮に流出面９２の手前側が閉塞に至った場合であっても、接地面リブ１２４によって形成される流路に沿って奥側まで湯水が流通するため、フィルタ本体９０の奥側領域を有効に利用することが可能となる。
【０１１１】
また、各々の接地面リブ１２４は、図８Ｃに示すように、第二流入孔１１４が形成される部位に対応する位置に配設され、第二フィルタ接地部１２１の後端縁、つまり、第二流入孔雄開口側端部において、接地面リブ１２４と第二流入孔１１４との間に背面から見て所定の隙間が形成されるよう、接地面リブ１２４と第二流入孔１１４の形状が設定される。その際、それぞれの前記接地面リブ１２４の第二流入孔開口側端部における第二流入孔１１４に対向する向きの断面積は、それぞれの第二流入孔１１４の開口面積より小さく設定され、各々の接地面リブ１２４が、第二流入孔１１４が形成される部位に対応する位置に配設される。
【０１１２】
このようにすることで、隙間部分の距離を長く確保することができ、第二流入孔１１４の詰まりを防止することができる。
【０１１３】
また、接地面リブ１２４の後端縁が、第二流入孔１１４に流入する湯水の抵抗としても機能するため、確実に、第二流入孔１１４の吸引抵抗を第一流入孔１１３の吸引抵抗よりも大きく設定できるようになる。
【０１１４】
そして、図８Ｆに示すように、接地面リブ１２４は、第二流入孔１１４が設けられる部位に相当する第二フィルタ接地部１２１の後端縁において最も高さが高く、後端縁から前方に向けて徐々に高さが漸減する側面視略三角形状に設けられる。
【０１１５】
このようにすることで、第一フィルタケース１１０と第二フィルタケース１２０とを接続する際、接地面リブ１２４がフィルタ本体９０に引っかかることなく、スムーズに係合することが可能となる。
【０１１６】
つまり、後述のように、本実施形態のフィルタケース１００においては、第一フィルタケース１１０と第二フィルタケース１２０とを接続する際、第二フィルタケース１２０の前方から第一フィルタケース１１０をスライドさせることにより、第二フィルタケース１２０に第一フィルタケース１１０を接続する。ここで、第二フィルタ接地部１２１に形成される接地面リブ１２４において、挿入方向に見てフィルタ本体９０に最初に接触する部位が最も高さが低く、そこから徐々に漸増する形状であるため、第二フィルタケース１２０をスライドさせる際、接地面リブ１２４がフィルタ本体９０に引っかかることがない。
【０１１７】
さらに、上述の通り、接地面リブ１２４と第二流入孔１１４との間に背面から見て所定の隙間が形成されるよう、接地面リブ１２４と第二流入孔１１４の形状が設定されているため、接地面リブ１２４を第二流入孔１１４にスムーズに挿入することができる。
【０１１８】
〔第一フィルタケース１１０と第二フィルタケース１２０の接続構造〕
図８Ａに示すように、第一フィルタケース１１０における二つの側壁１１７の内面には、フィルタ本体９０の周面９３に向けて突出し第二流入孔１１４に対向する向きに延出するスライド突起１１８が設けられ、両側壁１１７と流入孔壁１１５とが接続される角部には、後述するスライド片１２２を挿通させるための挿通孔１１９が設けられる。
【０１１９】
また、第二フィルタケース１２０においては、第二フィルタ接地部１２１の側部両端部から、外面にスライド突起１１８に係合可能な係合溝１２５が形成され、内面にフィルタ本体９０の側方の周面９３と相対する面が形成されるスライド片１２２が第一フィルタ接地部１１１に向けて突出して設けられる。また、スライド片１２２は第二流入孔１１４に対向する向きに、つまり、スライド突起１１８と平行となるように延出して設けられる。
【０１２０】
上述の通り、第一フィルタケース１１０の流入孔壁１１５の端部には、スライド片１２２を挿通可能な挿通孔１１９が設けられているため、第二流入孔１１４に対向する方向に延出するスライド片１２２を挿通孔１１９に挿通しつつ第一フィルタケース１１０を前方から後方に向けてスライド移動させ、さらに、係合溝１２５にスライド突起１１８が係合するようスライド移動させることにより、第一フィルタケース１１０と第二フィルタケース１２０とを接続することができる。
【０１２１】
〔フィルタケース１００とノズル部材５０との接続構造〕
図８Ａや図８Ｄに示すように、第二フィルタケース１２０には、ノズル部材５０と接続するためのねじを挿通可能なねじ孔部材１２６が第二フィルタ接地部１２１から上方に突出して設けられる。ねじ孔部材１２６には、ねじを挿通可能な孔が穿設されている。
【０１２２】
また、図８Ａに示すように、第二フィルタ接地部１２１の縁部において、上方に突出する枠状部１２７が設けられる。枠状部１２７は、第一ノズル本体６０ｂの下端部に形成される第一下端開口枠部６３、及び、第二ノズル本体７０ｂの下端部に形成される第二下端開口枠部７３に対し、下方から嵌入することができるよう構成されている。
【０１２３】
したがって、第二フィルタケース１２０をノズル部材５０に装着するには、まず、第二フィルタケース１２０の枠状部１２７を、第一ノズル本体６０ｂの第一下端開口枠部６３ないしは第二ノズル本体７０ｂの第二下端開口枠部７３に嵌入させる。その状態で、ネジ孔部材１２６に形成される孔からねじを挿入し、第一ノズル本体６０ｂないしは第二ノズル本体７０ｂに形成されるねじ穴に螺合することにより、第二フィルタケース１２０をノズル部材５０に接続することができる。
【０１２４】
この状態で、上記で説明した通り、第一フィルタケース１１０を第二フィルタケース１２０に接続することで、フィルタケース１００とノズル部材５０とを接続することができる。
【０１２５】
このように、ねじを用いてフィルタケースとノズル部材とを接続する構成としたため、係止用の爪や係止溝等をノズル部材表面に配設する必要がなくなり、美観に優れる浴槽用給湯アダプタを構成することができる。
【０１２６】
以上の構成の浴槽用給湯アダプタ１において、浴槽内の湯水（残り湯）を洗濯水として利用する場合には、図示しない洗濯機の吸引ポンプを作動させる。これにより流路仕切部材４０の太円筒部４２に形成される吸引口４５が負圧となってノズル部材５０の内部も負圧となり、浴槽内の湯水がノズル部材５０の下端に接続されるフィルタ部材８０から吸引され、さらにその湯水がノズル部材５０の外側突出部６１を介して太円筒部４２の吸引口４５から吸引される。こうして太円筒部４２内に吸い込まれた湯水は、既述した通り残り湯取出管２５ｃを通って洗濯機に供給される。
【０１２７】
そして、フィルタ部材８０の底面に設けられるフィルタ本体９０の流入面９１に不純物が堆積して吸引抵抗が所定値よりも増加した場合、フィルタ部材８０の背面に設けられる第二流入孔１１４が圧力逃がし孔として機能し、第二流入孔１１４から浴槽水が流入することとなり、フィルタ本体９０によるろ過機能を維持しつつ、フィルタ本体９０が圧縮され機能を失うことを防止することができる。
【０１２８】
このとき、第二流入孔１１４は、フィルタ保持枠１１２において、第一フィルタ接地部１１１よりも第二フィルタ接地部１２１に近い位置、すなわち、流入面９１と流出面９２の間における下流側に設けられているため、厚みのあるフィルタ本体９０の下流側の領域を有効に活用することができる。
【０１２９】
なお本発明は、槽内突出部の前面に吸引口を有する浴槽用給湯アダプタであれば、どのようなアダプタにも適用することができ例えば、無極性のアダプタであっても、有極性のアダプタであっても適用できるとともに、逆止弁付きのアダプタであっても、弁無しタイプのアダプタであっても適用することができる。
【０１３０】
また、フィルタ本体として、流入面の法線と略平行の法線を有する流出面を備えたものを実施形態として説明したが、これに限ったものではなく、流入面の法線と略平行の法線を有する中間面と、流入面と中間面との間に設けられ所定の高さを有する流出面とを有するフィルタ本体に対し、本発明の技術を適用することができる。その際、フィルタ本体の中間面が面するフィルタ保持枠において、流出面が接地する第二フィルタ接地部と接する位置に第二流入孔を形成することができ、さらに、第二接地面における第二流入孔が形成される位置に対応する部位に、接地面リブを配設することができる。
【０１３１】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１３２】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【産業上の利用可能性】
【０１３３】
この発明の浴槽用給湯アダプタは、浴槽内の残り湯を洗濯水等として利用する際の残り湯利用設備等に適用することができる。
【符号の説明】
【０１３４】
１      浴槽用給湯アダプタ
１０    槽外取付部材
２０    管路部材
３０    雄ねじ部材
４０    流路仕切部材
５０    ノズル部材
６０    第一ノズル部材
７０    第二ノズル部材
８０    フィルタ部材
９０      フィルタ本体
９１    流入面
９２    流出面
９３    周面
１００    フィルタケース
１１０    第一フィルタケース
１１３  第一流入孔
１１４  第二流入孔
１２０    第二フィルタケース
１２３  流出孔
１２４  接地面リブ
【図１】
2020173042.tif 000003
【図２】
2020173042.tif 000004
【図３】
2020173042.tif 000005
【図４】
2020173042.tif 000006
【図５Ａ】
2020173042.tif 000007
【図５Ｂ】
2020173042.tif 000008
【図５Ｃ】
2020173042.tif 000009
【図６Ａ】
2020173042.tif 000010
【図６Ｂ】
2020173042.tif 000011
【図６Ｃ】
2020173042.tif 000012
【図６Ｄ】
2020173042.tif 000013
【図７Ａ】
2020173042.tif 000014
【図７Ｂ】
2020173042.tif 000015
【図７Ｃ】
2020173042.tif 000016
【図７Ｄ】
2020173042.tif 000017
【図８Ａ】
2020173042.tif 000018
【図８Ｂ】
2020173042.tif 000019
【図８Ｃ】
2020173042.tif 000020
【図８Ｄ】
2020173042.tif 000021
【図８Ｅ】
2020173042.tif 000022
【図８Ｆ】
2020173042.tif 000023